(57)【要約】【課題】  ユーザの誤使用をユーザに知覚させて、ユーザに不都合が生じることを防止することができる電気かみそり用洗浄装置を提供する。【解決手段】  電気かみそりのヘッド部を挿入させる受け部の底部近傍には、外刃ホルダ検出部の検出用バーが進退自在に配設してあり、外刃ホルダにて検出用バーが後退されて第１スイッチ３１に当接するようになっている。第１制御部５には、第１スイッチ３１からオン・オフ信号が与えられるようになっており、第１制御部５は、第１スイッチ３１からオン信号が与えられていない場合、少なくとも選択ボタン４１からの信号を受け付けないようになしてある。【選択図】  図７
2008284278.tif 000002
【特許請求の範囲】
【請求項１】
髭を剃るためのヘッド部及び該ヘッド部を支持する本体を具備する電気かみそりの前記ヘッド部が装入され、装入されたヘッド部を洗浄する洗浄部と、該洗浄部による洗浄動作を制御する制御部とを備える電気かみそり用洗浄装置において、
前記洗浄部に装入された電気かみそりのヘッド部の状態を検出する第１検出手段を備え、
前記制御部は、第１検出手段の検出結果に基づいて前記洗浄部による洗浄動作を制御するようになしてあることを特徴とする電気かみそり洗浄装置。
【請求項２】
前記ヘッド部には、駆動可能に配設された内刃、該内刃を囲繞する外刃、及び該外刃を保持し、着脱可能に取り付けられた外刃ホルダが設けてあり、
前記第１検出手段は、前記洗浄部に装入された電気かみそりの本体を所定の装入位置に支持する支持部と、該支持部に本体が支持された電気かみそりの前記外刃ホルダの有無を検出する検出部とを具備し、
前記制御部は、前記検出部から外刃ホルダ有りの検出信号が与えられた場合、前記洗浄部に洗浄動作を実行させ得るようになしてある請求項１記載の電気かみそり洗浄装置。
【請求項３】
前記検出部は、前記洗浄部の適宜位置に進退可能に配設され、洗浄部に装入されるヘッド部の外刃ホルダに当接し、該ヘッド部が洗浄部へ進入されるにつれて後退する検出用片部材と、該検出用片部材が所定位置まで後退した場合に外刃ホルダ有りの検出信号を出力する第１スイッチとを有する請求項２記載の電気かみそり用洗浄装置。
【請求項４】
前記洗浄部に装入された電気かみそりに給電する給電部が設けてあり、
当該電気かみそりと給電部との接続状態を検出する第２検出手段を備え、
前記制御部は、更に第２検出手段の検出結果に基づいて前記洗浄部による洗浄動作を制御するようになしてある請求項１から３のいずれかに記載の電気かみそり洗浄装置。
【請求項５】
前記洗浄部は、着脱可能に装着され、洗浄液を貯留するタンクと、該タンク内の洗浄液を汲み上げるためのポンプ部とを具備しており、
前記タンクの装着状態及び／又は前記ポンプ部の状態を検出する第３検出手段を備え、
前記制御部は、更に第３検出手段の検出結果に基づいて洗浄部による洗浄動作を制御するようになしてある請求項１から４のいずれかに記載の電気かみそり洗浄装置。
【発明の詳細な説明】
【技術分野】
【０００１】
本発明は、装入された電気かみそりのヘッド部を洗浄する電気かみそり用洗浄装置に関する。
【背景技術】
【０００２】
二次電池を内蔵する電気かみそりを倒立支持し、当該電気かみそりのヘッド部を構成する外刃及び内刃を洗浄液で洗浄する電気かみそり用洗浄装置（以後、洗浄装置ともいう）が実用化されている（例えば、特許文献１）。
【０００３】
かかる洗浄装置は、電気かみそりに設けてある被給電用接点に接続する給電用接点、電気かみそりのヘッド部を洗浄すべく、該ヘッド部を装入させる箱状の洗浄皿、洗浄液を貯留するタンク、タンク内の洗浄液を前記洗浄皿内へ供給するポンプ、洗浄皿内へ送風するファン等を備えている。
【０００４】
ユーザが、前記洗浄皿内に電気かみそりのヘッド部を装入させて、前記被給電用接点と給電用接点とを接続させた後、洗浄装置に設けられたスタートボタンを操作した場合、洗浄装置は、前記ポンプによってタンク内の洗浄液を洗浄皿内へ、電気かみそりのヘッド部が浸漬する量だけ供給させた後、電気かみそりへ駆動信号を与えてヘッド部に内蔵された内刃を駆動させ、ヘッド部を構成する内刃及び外刃に付着した皮脂等の汚れを洗浄除去させる洗浄動作を実行した後、電気かみそりへ駆動停止信号を与えるとともに、洗浄皿からタンク内へ洗浄液を排出させ、前記ファンによって洗浄皿内のヘッド部に所定時間送風して該ヘッド部を乾燥させる乾燥動作を実行する。
【０００５】
そして、洗浄装置は、このような洗浄・乾燥動作が終了した後も給電用接点及び該給電用接点に接続された被給電用接点を介して電気かみそりに給電し、電気かみそりをして内蔵された二次電池に充電せしめる。
【特許文献１】特開平７−２３６５１４号公報
【発明の開示】
【発明が解決しようとする課題】
【０００６】
しかしながら、このような従来の電気かみそり用洗浄装置にあっては、次のような問題があった。すなわち、電気かみそりのヘッド部は、内刃と、内刃を囲繞する外刃と、該外刃を支持する外刃ホルダとによって構成されるが、ユーザの誤使用によって外刃ホルダが取り外されている電気かみそりであっても、その電気かみそりのヘッド部が電気かみそり用洗浄装置の洗浄皿内に装入された場合、前述した洗浄動作を実行することができるため、ユーザの誤使用によって、外刃ホルダが取り外されている電気かみそりを電気かみそり用洗浄装置にて洗浄した場合、ユーザは、未洗浄の外刃ホルダをそのまま使用するか、当該外刃ホルダを手作業で洗浄するか、当該外刃ホルダを取り付けた電気かみそりを電気かみそり用洗浄装置にて再洗浄する必要があり、いずれの場合のユーザにとって不都合が生じるという問題があった。
【０００７】
本発明は、斯かる事情に鑑みてなされたものであって、ユーザの誤使用をユーザに知覚させて、ユーザに不都合が生じることを防止することができる電気かみそり用洗浄装置を提供する。
【課題を解決するための手段】
【０００８】
（１）  本発明では、髭を剃るためのヘッド部及び該ヘッド部を支持する本体を具備する電気かみそりの前記ヘッド部が装入され、装入されたヘッド部を洗浄する洗浄部と、該洗浄部による洗浄動作を制御する制御部とを備える電気かみそり用洗浄装置において、前記洗浄部に装入された電気かみそりのヘッド部の状態を検出する第１検出手段を備え、前記制御部は、第１検出手段の検出結果に基づいて前記洗浄部による洗浄動作を制御するようになしてあることを特徴とする。
【０００９】
第１検出手段は洗浄部に装入された電気かみそりのヘッド部の状態を検出し、制御部は、第１検出手段の検出結果が、ヘッド部を構成する外刃ホルダが取り付けられている状態である場合、洗浄部による洗浄動作を許可し、ヘッド部を構成する外刃ホルダが取り付けられていない状態である場合、洗浄部による洗浄動作を許可しない。  従って、ユーザの誤使用があった場合であっても、洗浄部による洗浄動作が許可されないため、洗浄部が作動せず、誤使用であることをユーザに知覚させることができる。
この場合、ユーザは外刃ホルダを取り付けてから当該電気かみそりのヘッド部を再び電気かみそり用洗浄装置の洗浄部に装入するので、ユーザに不都合が生じることが防止される。
【００１０】
なお、前述した第１検出手段としては、機械的に検出するものであってもよく、また発行素子及び受光素子を備え外刃ホルダからの反射光の有無を検出する光学センサ、又は外刃ホルダに予め設けた磁石によって閉するリードスイッチを備える電磁気センサのように、光学的又は電磁気的に検出するものであってもよい。
【００１１】
（２）  また、本発明では、前記ヘッド部には、駆動可能に配設された内刃、該内刃を囲繞する外刃、及び該外刃を保持し、着脱可能に取り付けられた外刃ホルダが設けてあり、前記第１検出手段は、前記洗浄部に装入された電気かみそりの本体を所定の装入位置に支持する支持部と、該支持部に本体が支持された電気かみそりの前記外刃ホルダの有無を検出する検出部とを具備し、前記制御部は、前記検出部から外刃ホルダ有りの検出信号が与えられた場合、前記洗浄部に洗浄動作を実行させ得るようになしてあることを特徴とする。
【００１２】
前述した第１検出手段は、例えば電気かみそりの本体の一部を当接させて当該本体を支持する支持部を具備しており、洗浄部に装入された電気かみそりの本体を前記支持部によって所定の装入位置、即ちヘッド部が洗浄部の奥壁部から適宜寸法を隔てた位置に支持し、この状態で検出部は、電気かみそりの外刃ホルダの有無を検出する。
【００１３】
これによって、外刃ホルダが取り付けられていないヘッド部が洗浄部内に装入された場合であっても、ヘッド部の内刃と洗浄部との接触が回避され、両者に破損等が発生することが防止される。
【００１４】
（３）  更に、本発明では、前記検出部は、前記洗浄部の適宜位置に進退可能に配設され、洗浄部に装入されるヘッド部の外刃ホルダに当接し、該ヘッド部が洗浄部へ進入されるにつれて後退する検出用片部材と、該検出用片部材が所定位置まで後退した場合に外刃ホルダ有りの検出信号を出力する第１スイッチとを有することを特徴とする。
【００１５】
検出部の検出用片部材は、洗浄部に装入されるヘッド部の外刃ホルダに当接し、ヘッド部が洗浄部へ進入されるにつれて後退し、この検出用片部材が所定位置まで後退した場合
第１スイッチは、外刃ホルダ有りの検出信号を出力する。
これによって、検出部は、簡単な構成で、外刃ホルダの有無を確実に検出することができる。
【００１６】
（４）  一方、本発明では、前記洗浄部に装入された電気かみそりに給電する給電部が設けてあり、当該電気かみそりと給電部との接続状態を検出する第２検出手段を備え、前記制御部は、更に第２検出手段の検出結果に基づいて前記洗浄部による洗浄動作を制御するようになしてあることを特徴とする。
【００１７】
第２検出手段は、マイクロスイッチといった機械的手段、又は電気かみそりと給電部との接続よる導通状態を検出する回路といった電気的手段によって構成することができる。そして、第２検出手段の検出結果が、電気かみそりと給電部とが正常に接続されている状態である場合、洗浄部による洗浄動作を許可し、正常に接続されている状態でない場合、洗浄部による洗浄動作を許可しない。
【００１８】
このように、電気かみそりと給電部とが正常に接続されていない場合、洗浄部による洗浄動作を許可しないため、例えば、洗浄動作中に、ヘッド部の内刃を駆動させる場合ようにしてある場合であっても、接続不良による異常電流の発生等が回避され、電気かみそり及び給電部の接続部、電気かみそりのモータ等に損傷が生じることが防止される。
【００１９】
（５）  また、本発明では、前記洗浄部は、着脱可能に装着され、洗浄液を貯留するタンクと、該タンク内の洗浄液を汲み上げるためのポンプ部とを具備しており、前記タンクの装着状態及び／又は前記ポンプ部の状態を検出する第３検出手段を備え、前記制御部は、更に第３検出手段の検出結果に基づいて洗浄部による洗浄動作を制御するようになしてあることを特徴とする。
【００２０】
第３検出手段は、洗浄部のタンク装着部分に配設したマイクロスイッチ、ポンプ部内を通流する電流を検出する検出回路等によって構成することができる。そして、第３検出手段の検出結果が、タンクの装着状態及び／又はポンプ部の状態が正常である場合、洗浄部による洗浄動作を許可し、正常でない場合、洗浄部による洗浄動作を許可しない。
【００２１】
このように、タンクの装着状態及び／又はポンプ部の状態が正常でない場合、洗浄部による洗浄動作を許可しないため、タンクの装着不良による洗浄水の循環不良、タンク内に貯留された洗浄水の減少によって、ポンプ部が空運転されることが防止される。
【発明を実施するための最良の形態】
【００２２】
（本発明の第１の実施形態）
図１は、本発明に係る電気かみそり用洗浄装置を示す外観斜視図であり、図中、３は後述するように電気かみそりのヘッド部を宙吊り状態で支持する箱状の受け部である。また、図２は図１に示した電気かみそり用洗浄装置Ｗの受け部３に電気かみそりＳのヘッド部を装入させた状態を示す外観斜視図である。
【００２３】
両図に示したように、電気かみそり用洗浄装置Ｗは、四隅を円弧状になした略直方体形状の本体１の背面側にアーム部２を立設して構成してある。本体１の上面略中央位置には電気かみそりを装入させる開口部４が開設してあり、本体１内には、前述した受け部３が前記開口部４に連通する様態で設けてある。
【００２４】
本体１の上面壁１１であって本体１正面の近傍の部分は、アーム部２へ向かうに従って高さ寸法が漸次大きくなる斜面にしてあり、この斜面部分には、例えば洗浄運転の後に乾燥運転を行う第１動作と乾燥運転を行う第２動作とを選択するための選択ボタン４１、これら第１動作及び第２動作に拘らず、又は第１動作若しくは第２動作の後に充電を行わせるための充電ボタン４２が横方向へ相隣らせて配設してある。選択ボタン４１及び充電ボタン４２は、マイクロスイッチたるタクトスイッチ及び該タクトスイッチを覆い防水機能を有する接触部を具備しており、両接触部の外径、即ち選択ボタン４１及び充電ボタン４２の外径は、選択ボタン４１の方が充電ボタン４２より大きい。
【００２５】
また、前記斜面部分の選択ボタン４１及び充電ボタン４２の上方位置には、洗浄中であることを示す洗浄ランプ４３、乾燥中であることを示す乾燥ランプ４４、充電中であることを示す充電ランプ４５、及び運転異常であることを示すチェックランプ４６が、横方向へ距離を隔てて配置してある。
【００２６】
本体１の周面壁１２及び上面壁１１は昇降可能になしてあり、図示しないばねによって周面壁１２及び上面壁１１が上方向へ付勢されている。周面壁１２及び上面壁１１は前記ばねの付勢に抗して降下位置に固定されるようになっており、周面壁１２の側部には前述した固定を解除する開ボタン１３が前記周面壁１２を貫通する様態で設けてある。この開ボタン１３を押下することによって、周面壁１２及び上面壁１１は開放され、前記ばねの付勢によって上昇される。この状態で後述する洗浄タンクを交換し得るようになしてある。
【００２７】
ところで、前述したアーム部２は、略倒立Ｌ字形状をなしており、頂部２１はアーム部２の長手方向へ伸縮可能になしてある。一方、図２に示したように電気かみそりＳの把持部１１０の底部には凹部１２０が設けてあり、該凹部１２０内には複数本（図２では３本）のプラグピン１２１，１２１，１２１が立設してある。そして、前述した頂部２１の裏面には、前記プラグピン１２１，１２１，１２１を嵌入させるソケット２３が垂下してある。
【００２８】
なお、後述するようにプラグピン１２１，１２１，１２１の内の一対のプラグピン１２１，１２１はソケット２３から駆動用電力が供給されるようになっており、他のプラグピン１２１は電気かみそり用洗浄装置Ｗからの指令信号が与えられるようになっている。つまり、前記一対のプラグピン１２１，１２１は被給電用接点として機能しており、他のプラグピン１２１は信号用接点として機能している。従って、ソケット２３にあっても、前記一対のプラグピン１２１，１２１に連結する部分は給電用接点として機能しており、前記他のプラグピン１２１に連結する部分は信号用接点として機能している。
【００２９】
なお、本実施の形態では信号用接点としての他のプラグピン１２１を設けた場合について説明したが、本発明はこれに限らず、駆動用電力に指令信号を重畳させることによって、一対のプラグピン１２１，１２１だけを設ける構成にしてもよい。
【００３０】
また、アーム部２の内周面には、電気かみそりＳの把持部１１０の周面であって下端近傍の部分を保持する平板状の保持部２０が突設してあり、保持部２０の先端部は把持部１１０の周面の形状に応じた凹形状になしてある。
【００３１】
そして、頂部２１を伸長させた状態で電気かみそりＳのヘッド部を前記本体１の受け部３に装入させるとともに、電気かみそりＳの把持部１１０の周面であって下端近傍の部分を保持部２０に保持させた状態で、頂部２１を収縮させることによって、頂部２１のソケット２３を電気かみそりＳのプラグピン１２１，１２１，１２１に外嵌連結させて、電気かみそり用洗浄装置Ｗに電気かみそりＳを倒立姿勢に支持させる。
【００３２】
図３は、図１に示した電気かみそり用洗浄装置ＷのＩＩＩ−ＩＩＩ線による断面図であり、図４、図５及び図６は、図２に示した電気かみそり用洗浄装置Ｗ及び電気かみそりＳのＩＶ−ＩＶ線による断面図、Ｖ−Ｖ線による断面図、ＶＩ−ＶＩ線による断面図である。なお、これらの図面中、図１及び図２に示した部分に対応する部分には同じ番号を付してその説明を省略する。
【００３３】
図３から図６に示したように、本体１の正面側内部には、受け部３内へ送風する送風機５０が配置してあり、該送風機５０から送られる風によって受け部３に装入させた電気かみそりＳのヘッド部１００を乾燥させるようになっている。
【００３４】
また、受け部３のアーム部２側の適宜位置には、該受け部３に装入された電気かみそりＳのヘッド部１００内へ洗浄液を供給するノズル５３が配設してあり、ノズル５３の一端部は受け部３内に所要寸法だけ突出するように壁面を貫通する様態で設けてあり、ノズル５３の他端部は後述するタンク６０とノズル５３との間を結ぶ導液路７０の一端に連結されている。導液路７０の中途位置には汲み上げ用モータ７２の出力軸に外嵌した羽部７３を内蔵するポンプ部７１が介装してあり、導液路７０の他端は前記受け部３の下方位置に着脱可能に配設されたタンク６０の吐出口に水密状態を保って連結してある。
【００３５】
タンク６０内には断面視がＷ字形状のフィルタ６１が設置してあり、タンク６０の天井部６２であって、前記フィルタ６１のＷ字形状の中央位置に臨む部分には、廃液を導入させる導入口が開設してあり、該導入口には、タンク６０内の洗浄液の蒸発を防止する外観円筒状の弁部材６５の一端を内嵌してある。この弁部材６５の他端は受け部３の底部に当接させてあり、受け部３の底部には弁部材６５に連通する廃液孔が開設してある。これによって、受け部３の底部に溜まった廃液は、受け部３に開設された廃液孔から弁部材６５内を通ってタンク６０のフィルタ６１上に導入される。
【００３６】
ところで、前述した電気かみそりＳは、縦方向へ長く、側面視が略へ字形状をなした本体１５０の一端にヘッド部１００を設けてなり、ヘッド部１００は本体１５０の長手方向へ、及び本体１５０の正面に対して前後左右方向へ、進退自在及び揺動自在になしある。このヘッド部１００内には、円筒体の表面に複数の螺旋状刃を立設してなる内刃１０２，１０２が回転軸をヘッド部１００の横方向へ位置するように配置してあり、内刃１０２，１０２の回転軸には、本体のヘッド部１００近傍に内蔵されたモータの出力軸からの駆動力が図示しない伝動ベルトを介して伝えられるようになっている。また、本体を構成する把持部１１０内には充放電可能なバッテリＢ、及び前記モータの駆動・駆動停止等を制御する第２制御部も内蔵されている。
【００３７】
一方、把持部１１０の正面には、前記モータのオン・オフを行う電源ボタン１１２、バッテリの充電状態を報知する報知部１１１が、把持部１１０の長手方向へ一列に配置してあり、電気かみそりＳを倒立姿勢で前述した電気かみそり用洗浄装置Ｗに支持させた場合、電気かみそりＳの報知部１１１と、電気かみそり用洗浄装置Ｗの充電ランプ４５及び選択ボタン４１とが略縦一列になるようになしてある。
【００３８】
前記報知部１１１は、例えば、複数のＬＥＤを設け、各ＬＥＤの点灯数によって、バッテリＢに蓄えられている電気量を報知する構成にしてもよいし、液晶表示部を設け、数字、又はピクトグラフといったグラフによって、バッテリＢに蓄えられている電気量を報知する構成にしてもよい。
【００３９】
前述したヘッド部１００には、ユーザの肌に当接する網状の外刃１０１が前記内刃１０２，１０２に摺接する様態で対向配置してあり、外刃１０１はヘッド部１００の先端に着脱可能に取り付けた外刃ホルダ１０３によって略半円筒状の形状に保持されている。
【００４０】
そして、電気かみそり用洗浄装置Ｗの受け部３に電気かみそりＳのヘッド部１００が装入され、後述するように所定の操作が実施されると、タンク６０内の洗浄液がポンプ部７１によって汲み上げられ、ノズル５３から電気かみそりＳのヘッド部１００に開設してある洗浄液導入孔を通してヘッド部１００内へ吐出され、ヘッド部１００の外刃１０１から廃液となって受け部３の底部に溜まる。この廃液は、受け部３に開設された廃液孔から弁部材６５内を通ってタンク６０のフィルタ６１上に導入され、そこで髭滓・皮脂等が濾別され、タンク６０内のフィルタ６１の外側領域に濾過・再生された洗浄液が貯留される。
【００４１】
ところで、本体１５０の背面側であって、前記ヘッド部１００の近傍の位置には、主にユーザの髭の整形に用いる平刃状のトリマ部１４０が本体１５０の長手方向へ進退可能に設けてあり、これによってトリマ部１４０とヘッド部１００との間に段差部１３０が形成されている。トリマ部１４０は、前進された場合には前記モータから駆動力が与えられ、後退された場合には前記モータからの駆動力が切断されるようになっており、トリマ部１４０が駆動されているとき前記モータと内刃１０２，１０２との間は切断されるようになっている。
【００４２】
一方、電気かみそり用洗浄装置Ｗの受け部３の内面であって、受け部３に装入された電気かみそりＳの前記段差部１３０に対向する部分には、前記段差部１３０を当接させて受け部３への電気かみそりＳのヘッド部１００の進入を停止させるとともに電気かみそりＳの本体１５０を支持する当接支持部３５が突設してあり、段差部１３０が当接支持部３５に当接した場合、電気かみそりＳのヘッド部１００と受け部３の底部との間には、適宜の間隙が形成されるようになしてある。このようにしてヘッド部１００が宙吊り状態で支持されている。
【００４３】
なお、本実施の形態では、受け部３に設けた支持部３５によって電気かみそりＳを宙吊り状態に支持するようになしてあるが、本発明はこれに限らず、受け部３に突設したリブに電気かみそりＳのヘッド部１００を当接させて電気かみそりＳを支持するようにしてもよい。
【００４４】
また、図６に示したように、受け部３の底部近傍の内面であって、受け部３に装入された電気かみそりＳの外刃ホルダ１０３に対向する部分には、当該受け部３を貫通する貫通孔が開設してあり、この貫通孔には受け部３内への前記外刃ホルダ１０３の装入を検出する外刃ホルダ検出部３０に備えられた検出用バー３２がその先端を所定長だけ受け部３内へ突出させた様態で進退自在に挿通させてある。
【００４５】
検出用バー３２の基端部は検出用バー３２を水密状態で支持する台座部３３に進退自在に連結してあり、該台座部３３内には検出用バー３２を受け部３内方向へ付勢するばね部材３４が配設してある。また、台座部３３の底部には第１スイッチ３１が配設してあり、検出用バー３２が後退されて第１スイッチ３１に当接するようになっている。
これら外刃ホルダ検出部３０及び前記当接支持部３５等によって第１検出検出手段が構成されている。
【００４６】
このような外刃ホルダ検出部３０にあっては、受け部３内に装入される電気かみそりＳの外刃ホルダ１０３が外刃ホルダ検出部３０の検出用バー３２の先端に当接して検出用バー３２が前記ばね部材３４の付勢に抗して後退される。
【００４７】
電気かみそりＳを更に受け部３内へ装入させると、電気かみそりＳは前述した段差部１３０が受け部３に突設した当接支持部３５に当接するまで受け部３内を移動する。このとき、外刃ホルダ１０３に当接した検出用バー３２が更に後退されて第１スイッチ３１がオンされ、外刃ホルダ１０３の検出信号が出力される。
そして、電気かみそりＳを受け部３から抜出させると、検出用バー３２は前記ばね部材３４の付勢によって前進するため、第１スイッチ３１がオフされる。
【００４８】
一方、外刃ホルダ１０３が取り外されている電気かみそりＳが受け部３内に装入された場合、外刃ホルダ検出部３０の検出用バー３２は当該電気かみそりＳの外刃ホルダ１０３に当接しないため、検出用バー３２は後退しない。
【００４９】
電気かみそりＳを更に受け部３内へ装入させると、電気かみそりＳの段差部１３０が受け部３の当接支持部３５に当接するまで受け部３内を移動するが、この間、検出用バー３２は電気かみそりＳの何処にも当接せず、第１スイッチ３１はオフ状態に維持されるので、外刃ホルダ１０３の検出信号が出力されることはない。
【００５０】
このとき、段差部１３０が当接支持部３５に当接して、電気かみそりＳのヘッド部１００と受け部３の底部との間に適宜の間隙が形成された様態でヘッド部１００の装入が停止されるため、外刃ホルダ１０３が取り外されていた場合であっても、内刃１０２，１０２が受け部３に接触することが防止される。
【００５１】
なお、本実施の形態では、回転駆動させる内刃１０２，１０２が設けてあるヘッド部１００について説明したが、本発明はこれに限らず、リニア駆動させる内刃が設けてあるヘッド部であってもよい。
【００５２】
図７は、図１に示した電気かみそり用洗浄装置Ｗの駆動制御系の要部構成を示すブロック図である。
図７に示したように、電気かみそり用洗浄装置Ｗに接続されたアダプタ９０には商用交流電圧電源から定格の交流電圧が与えられるようになっており、アダプタ９０は与えられた交流電圧を直流電圧に変換して電気かみそり用洗浄装置Ｗに内蔵された電源回路８０に与え、電源回路８０は、それを適宜電圧になして前述した汲み上げ用モータ７２及び送風機５０、並びにこれら汲み上げ用モータ７２及び送風機５０等の動作を制御する第１制御部５に印加するようになっている。
【００５３】
また、アダプタ９０からの直流電圧は、スイッチ手段８５を介して電気かみそりに接続するソケット２３にも与えられるようになっており、従ってスイッチ手段８５が閉の場合、ソケット２３に接続した電気かみそりに直流電圧が供給される。
このスイッチ手段８５の開／閉動作は第１制御部５によって制御されるようになっている。
【００５４】
また、第１制御部５には、前述した選択ボタン４１及び充電ボタン４２からそれぞれ押下信号も与えられるようになっており、第１制御部５は選択ボタン４１及び／又は充電ボタン４２から押下信号が与えられた場合、対応する制御操作を実行する。
【００５５】
ところで、第１制御部５には、前述した第１スイッチ３１からオン・オフ信号が与えられるようになっている。そして、第１制御部５は、第１スイッチ３１からオン信号が与えられていない場合、少なくとも前記選択ボタン４１からの信号を受け付けないようになしてある。
【００５６】
外刃ホルダ１０３が取り外された電気かみそりＳのヘッド部１００が受け部３に装入された場合、第１制御部５には第１スイッチ３１からオン信号が与えられず、この状態で選択ボタン４１が押下されても、第１制御部５は洗浄運転制御及び／又は乾燥運転制御を実行せずに、前述したチェックランプ４６を点滅させて、受け部３に装入された電気かみそりＳに異常があることを報知させる。
【００５７】
これによって、電気かみそり用洗浄装置Ｗは、外刃ホルダ１０３が取り外された状態で電気かみそりＳのヘッド部１００を洗浄することを回避することができ、外刃ホルダ１０３が洗浄されないことによってユーザに不都合が生じることが防止される。
【００５８】
なお、本実施の形態では、第１制御部５は、第１スイッチ３１からオン信号が与えられていない場合、少なくとも前記選択ボタン４１からの信号を受け付けないようになしてあるが、本発明はこれに限らず、第１スイッチ３１からオン信号が与えられていない場合、第１制御部５は、前述したスイッチ手段８５を開させておくようにしてもよいし、当該電気かみそりＳへの洗浄指令信号の出力を停止するとともに汲み上げ用モータ７２及び送風機５０を停止状態にしておくようになしてもよい。いずれの場合も、電気かみそり用洗浄装置Ｗによる電気かみそりＳのヘッド部１００の洗浄運転は実行されず、電気かみそりＳの内刃１０２，１０２と受け部３との接触によって両者に破損が生じることが防止される。
【００５９】
また、本実施の形態では、第１制御部５に第１スイッチ３１からオン信号が与えられずに選択ボタン４１から信号が与えられた場合、チェックランプ４６を点滅させるようにしてあるが、本発明はこれに限らず、チェックランプ４６の点滅とともに、又はチェックランプ４６を点滅させることなく、警告音又は警告音声によって受け部３に装入された電気かみそりＳに異常があることを報知するようにしてもよい。
【００６０】
なお、本実施の形態では、電気かみそり用洗浄装置Ｗは、ノズル５３から電気かみそりＳのヘッド部１００内へ洗浄液を吐出する構成にしてあるが、本発明はこれに限らず、ヘッド部１００を洗浄皿内に貯留された洗浄液に浸漬させるようになした構成、洗浄液をヘッド部１００の外刃１０１へ噴出してヘッド部１００内へ導入させるようになした構成等であってもよいことはいうまでもない。
ここで、本発明に係る電気かみそり用洗浄装置Ｗによる電気かみそりＳの洗浄・乾燥・充電動作の一例について説明する。
【００６１】
図８は、前述した電気かみそりＳの駆動制御系の要部構成を示すブロック図である。
図８に示したように、電気かみそり用洗浄装置Ｗのソケット２３（共に図７参照）に接続される一対のプラグピン（被給電用接点）１２１，１２１に与えられた直流電圧は前述したバッテリＢ及び内刃を駆動するモータ１３０にそれぞれ与えられるようになっており、プラグピン１２１，１２１とバッテリＢとの間、及びプラグピン１２１，１２１とモータ１３０との間にはそれぞれ第１スイッチ手段１７１及び第２スイッチ手段１７２が介装してある。両第１スイッチ手段１７１及び第２スイッチ手段１７２の開閉動作は第２制御部１５０によって制御されるようになっており、両第１スイッチ手段１７１及び第２スイッチ手段１７２を開・閉させることによってバッテリＢへの充電及びモータ１３０の駆動が制御される。
【００６２】
バッテリＢに蓄えられている電気量は検出回路１６０によって検出されるようになっており、検出回路１６０はその検出結果を第２制御部１５０に与える。第２制御部１５０は、検出回路１６０から検出値が与えられると、報知部１１１をして検出値を報知せしめる。
【００６３】
また、第２制御部１５０には予め閾値が設定してあり、第２制御部１５０は検出回路１６０から与えられた検出値と前記閾値とを比較して検出値が閾値以下であった場合、フラグ設定部１５１にフラグを設定する。
【００６４】
一方、第２制御部１５０には他のプラグピン（信号用接点）１２１を介して電気かみそり用洗浄装置Ｗから種々の指令信号も与えられるようになっており、第２制御部１５０は与えられた指令信号に基づいて後述するような制御操作を実行する。
【００６５】
図９〜図１３は、図７に示した電気かみそり用洗浄装置Ｗの第１制御部５による制御手順を示すフローチャートである。
第１制御部５は、選択ボタン４１から信号が与えられたか否か（ステップＳ１）、当該信号が与えられていない場合は充電ボタン４２から信号が与えられたか否か（ステップＳ２）を繰り返し判断している。
【００６６】
第１制御部５は、ステップＳ１で選択ボタン４１から信号が与えられたと判断した場合、内蔵するタイマをリセットして計時を開始し（ステップＳ５）、所定時間経過したか否かを判断する（ステップＳ６）。第１制御部５は、所定時間経過していないと判断した場合、再び選択ボタン４１から信号が与えられたか否かを判断し（ステップＳ７）、選択ボタン４１から信号が与えられていない場合、充電ボタン４２から信号が与えられたか否かを判断する（ステップＳ８）
。
【００６７】
そして、第１制御部５は、ステップＳ６で所定時間経過したと判断するまで、ステップＳ７及びステップＳ８で、選択ボタン４１及び充電ボタン４２のいずれからも信号が与えられていないと判断した場合、電気かみそりＳのヘッド部１００を洗浄する洗浄モードの後に当該ヘッド部１００を乾燥させる乾燥モードを行い、電気かみそりＳに内蔵されたバッテリＢに蓄えられた電気量に応じて必要であれば充電を実施する運転が指定されたと判断して、図７に示したスイッチ手段８５を閉させて（ステップＳ１０）、ソケット２３からこれに接続した電気かみそりＳのプラグピン１２１，１２１に給電させた後、後述する洗浄モード制御（ステップＳ１１）に続いて後述する乾燥モード制御（ステップＳ１２）を実行する。
【００６８】
第１制御部５は、洗浄モード制御及び乾燥モード制御が終了すると、電気かみそりＳに内蔵されたバッテリＢに蓄えられた電気量に応じて必要な場合に充電を実施させる第１充電指令をソケット２３及びこれに接続したプラグピン１２１を介して電気かみそりＳに与える（ステップＳ１３）。
【００６９】
図１６は洗浄モード制御を説明するタイミングチャートであり、図中（ａ）は電気かみそりＳの第２制御部１５０による第１スイッチ手段１７１の開／閉制御のタイミングチャート（充電ストップ波形）を、（ｂ）は電気かみそり用洗浄装置Ｗの第１制御部５による汲み上げ用モータ７２のオン・オフ制御のタイミングチャート（汲み上げ用モータ波形）を、（ｃ）は電気かみそりＳの第２制御部１５０によるモータ１３０のオン・オフ制御のタイミングチャート（電気かみそりＳのモータ波形）をそれぞれ示している。
【００７０】
図１６（ａ）に示したように、電気かみそりＳの第２制御部１５０は、電気かみそり用洗浄装置Ｗの第１制御部５から洗浄モード指令が与えられると、第１スイッチ手段１７１に所定時間（例えば１５秒間程度）だけＬｏ信号を与えて閉させることによってバッテリＢに充電させる動作を所定回数（図１６にあっては４回）行った後、第１スイッチ手段１７１に所定時間（例えば１４０秒間程度）だけＨｉ信号を与えて開させる開／閉制御を行う。
このように、バッテリＢに充電することによって、後述するモータ１３０による内刃１０２，１０２の駆動に要する電力を予め補充しておくことができる。
【００７１】
なお、かかる充電動作は、後述する充電モードにおける充電動作とは異なり、バッテリに蓄えられた電気量に拘らず実行される。
一方、図１６（ｂ）に示したように、電気かみそり用洗浄装置Ｗの第１制御部５は、汲み上げ用モータ７２に所定時間（例えば１３秒間程度）ずつＨｉ信号を与えて間欠作動させる動作を所定回数（図１６にあっては４回）行った後、汲み上げ用モータ７２に所定時間（例えば１４０秒間程度）だけＨｉ信号を与えて連続作動させるオン・オフ制御を行う。なお、図１６（ａ）（ｂ）に示したように、バッテリＢへ間欠的に充電する充電区間は、汲み上げ用モータ７２が作動していない領域に設定されている。
【００７２】
このように、汲み上げ用モータ７２を間欠駆動させることによって、電気かみそりＳのヘッド部１００内に洗浄液を供給・排出させることができ、これによってヘッド部１００内の髭滓及び皮脂等を浮き上がらせると共に、洗浄液を排出させるときの吸引力によって浮き上がらせた髭滓及び皮脂等を排除させることができる。
【００７３】
更に、図１６（ｃ）に示したように、電気かみそりＳの第２制御部１５０は、電気かみそり用洗浄装置Ｗの第１制御部５から洗浄モード指令が与えられると、所定時間（例えば１２０秒間程度）待機した後、モータ１３０に所定時間（例えば３秒間程度）ずつＨｉ信号を与えて間欠作動させる動作を所定回数（図１６にあっては１０回）行うオン・オフ制御を行う。
【００７４】
このように洗浄液がヘッド部１００内に連続的に供給されている間にモータ１３０及び内刃１０２，１０２を間欠駆動させることによって、内刃１０２，１０２の表面に付着した髭滓及び皮脂等を浮き上がらせるとともに起動時の衝撃により効率的に洗浄・除去することができる。
【００７５】
図１７は乾燥モード制御を説明するタイミングチャートであり、図中（ａ）は電気かみそりＳの第２制御部１５０による第１スイッチ手段１７１の開／閉制御のタイミングチャート（充電ストップ波形）を、（ｂ）は電気かみそり用洗浄装置Ｗの第１制御部５による送風機５０のオン・オフ制御のタイミングチャート（送風機駆動波形）を、（ｃ）は電気かみそりＳの第２制御部１５０によるモータ１３０のオン・オフ制御のタイミングチャート（電気かみそりＳのモータ波形）をそれぞれ示している。
【００７６】
図１７（ａ）に示したように、電気かみそりＳの第２制御部１５０は、電気かみそり用洗浄装置Ｗの第１制御部５から乾燥モード指令が与えられると、第１スイッチ手段１７１に乾燥時間中（例えば１８００秒間程度）Ｈｉ信号を与えて開させることによってバッテリＢの充電を停止させるオン・オフ制御を行う。
【００７７】
一方、図１７（ｂ）に示したように、電気かみそり用洗浄装置Ｗの第１制御部５は、送風機５０に乾燥時間中（例えば１８００秒間程度）Ｈｉ信号を与えて連続的に送風させるオン・オフ制御を行う。
【００７８】
更に、図１７（ｃ）に示したように、電気かみそりＳの第２制御部１５０は、電気かみそり用洗浄装置Ｗの第１制御部５から洗浄モード指令が与えられると、所定時間（例えば８００秒間程度）待機した後、モータ１３０に所定時間（例えば３秒間程度）ずつＨｉ信号を与えて間欠作動させる動作を所定回数（図１７にあっては５回）行うオン・オフ制御を行う。
このように、乾燥運転中にモータ１３０を間欠駆動させることによって、内刃１０２，１０２が間欠駆動され、内刃１０２，１０２に残存する洗浄液を効率的に乾燥させることができる。
【００７９】
ところで、前述したステップＳ８にて充電ボタン４２から信号が与えられたと判断した場合、電気かみそり用洗浄装置Ｗの第１制御部５は、電気かみそりＳのヘッド部１００を洗浄する洗浄モードの後に当該ヘッド部１００を乾燥させる乾燥モードを行い、電気かみそりＳに内蔵されたバッテリＢに蓄えられた電気量に拘らず充電を実施する運転が指定されたと判断して、図７に示したスイッチ手段８５を閉させて（ステップＳ２０）、ソケット２３からこれに接続した電気かみそりＳのプラグピン１２１，１２１に給電させた後、前述した洗浄モード制御（ステップＳ２１）に続いて乾燥モード制御（ステップＳ２２）を実行する。
【００８０】
第１制御部５は、洗浄モード制御及び乾燥モード制御が終了すると、バッテリＢに蓄えられた電気量に拘らず充電を実施させる第２充電指令をソケット２３及びこれに接続したプラグピン１２１を介して電気かみそりＳに与える（ステップＳ２３）。
【００８１】
一方、前述したステップＳ７で、再び選択ボタン４１から信号が与えられたと判断した場合、第１制御部５は、タイマをリセットして計時を開始し（ステップＳ３０）、所定時間経過したか否かを判断する（ステップＳ３１）。第１制御部５は、所定時間経過していないと判断した場合、充電ボタン４２から信号が与えられたか否かを判断する（ステップＳ３２）。
【００８２】
第１制御部５は、ステップＳ３２で充電ボタン４２から信号が与えられたと判断するか、ステップＳ３１で所定時間経過したと判断するまでステップＳ３１及びステップＳ３２の動作を繰り返し、充電ボタン４２から信号が与えられることなく所定時間が経過した場合、洗浄モードを行うことなく乾燥モードを行い、電気かみそりＳに内蔵されたバッテリＢに蓄えられた電気量に応じて必要であれば充電を実施する運転が指定されたと判断して、図７に示したスイッチ手段８５を閉させて（ステップＳ４０）、ソケット２３からこれに接続した電気かみそりＳのプラグピン１２１，１２１に給電させた後、前述した乾燥モード制御（ステップＳ４１）を実行する。
【００８３】
第１制御部５は、乾燥モード制御が終了すると、電気かみそりＳに内蔵されたバッテリＢに蓄えられた電気量に応じて必要な場合に充電を実施させる第１充電指令をソケット２３及びこれに接続したプラグピン１２１を介して電気かみそりＳに与える（ステップＳ４２）。
【００８４】
一方、第１制御部５は、所定時間が経過するまでに、ステップＳ３２にて充電ボタン４２から信号が与えられたと判断した場合、洗浄モードを行うことなく乾燥モードを行い、電気かみそりＳに内蔵されたバッテリＢに蓄えられた電気量に拘らず充電を実施する運転が指定されたと判断して、スイッチ手段８５を閉させて（ステップＳ５０）、ソケット２３からこれに接続した電気かみそりＳのプラグピン１２１，１２１に給電させた後、前述した乾燥モード制御（ステップＳ５１）を実行する。
【００８５】
第１制御部５は、乾燥モード制御が終了すると、バッテリＢに蓄えられた電気量に拘らず充電を実施させる第２充電指令をソケット２３及びこれに接続したプラグピン１２１を介して電気かみそりＳに与える（ステップＳ５２）。
【００８６】
ところで、選択ボタン４１から信号が与えられることなく、ステップＳ２において充電ボタン４２から信号が与えられた場合、第１制御部５は、洗浄モード及び乾燥モードを行うことなく充電モードを実施する運転が指定されたと判断して、スイッチ手段８５を閉させて（ステップＳ７０）、ソケット２３からこれに接続した電気かみそりＳのプラグピン１２１，１２１に給電させた後、バッテリＢに蓄えられた電気量に拘らず充電を実施させる第２充電指令をソケット２３及びこれに接続したプラグピン１２１を介して電気かみそりＳに与える（ステップＳ７１）。
【００８７】
そして、第１制御部５は、ステップＳ１３，Ｓ２３，Ｓ４２，Ｓ５２，Ｓ７１で第１充電指令又は第２充電指令を出力した場合、タイマをリセットして計時を開始し（ステップＳ８０）、所定時間（例えば１８０分）経過したか否かを判断する（ステップＳ８１）。第１制御部５はステップＳ８１で所定時間経過したと判断するまで待機し、所定時間経過したと判断した場合、充電停止信号を電気かみそりＳへ出力した後（ステップＳ８２）、前記スイッチ手段８５を開させる（ステップＳ８３）。
【００８８】
このように、洗浄モード、乾燥モード、及び充電モードが実施される場合だけ、スイッチ手段８５が閉されて、ソケット２３及びこれに接続したプラグピン１２１，１２１に電力が供給されるため、ソケット２３とプラグピン１２１，１２１との間の電蝕を可及的に防止することができ、ソケット２３及びプラグピン１２１，１２１の寿命を延ばすことができる。
【００８９】
なお、以上において第１制御部５は、充電ボタン４２から信号が与えられたときであっても、当該タイミングから所定時間内に選択ボタン４１から信号が与えられた場合、充電ボタン４２から信号に対応する動作は実行しないようになっている。
【００９０】
図１４は、図８に示した電気かみそりＳの第２制御部１５０による制御手順を示すフローチャートである。
電気かみそりＳの第２制御部１５０は、電気かみそりＳに内蔵されたバッテリＢの電圧の検出制御を所定の間隔で実施している（ステップＳ９０）。
【００９１】
図１５は、図１４に示したバッテリ電圧検出制御の手順を示すフローチャートである。
図１５に示したように、第２制御部１５０は、検出タイミングであるか否かを判断し（ステップＳ９１）、検出タイミングであると判断した場合、前述した検出回路１６０から検出値を取り込む（ステップＳ９２）。第２制御部１５０には予め閾値が設定してあり、第２制御部１５０は、検出値と閾値とを比較して検出値が閾値以下であるか否かを判断する（ステップＳ９３）。
【００９２】
そして、第２制御部１５０は、検出値が閾値以下である場合、図８に示したフラグ設定部１５１にフラグを設定する（ステップＳ９４）。一方、第２制御部１５０は、検出値が閾値以下でない場合、ステップＳ９４をスキップしてリターンする。
【００９３】
一方、図１４に示したように、第２制御部１５０は、電気かみそり用洗浄装置Ｗから前述した洗浄モード制御に係る信号が与えられたか否かを判断し（ステップＳ１００）、当該信号が与えられたと判断した場合、対応する駆動制御を実行する（ステップＳ１０１）。
【００９４】
また、第２制御部１５０は、ステップＳ１００で洗浄モード制御に係る信号が与えられていないと判断した場合、電気かみそり用洗浄装置Ｗから前述した乾燥モード制御に係る信号が与えられたか否かを判断し（ステップＳ１１０）、当該信号が与えられたと判断した場合、対応する駆動制御を実行する（ステップＳ１１１）。
【００９５】
第２制御部１５０は、洗浄モード制御に係る信号も、乾燥モード制御に係る信号も与えられていない場合、電気かみそり用洗浄装置Ｗから前述した第１充電指令信号が与えられたか否かを判断し（ステップＳ１２０）、それが与えられていない場合、前述した第２充電指令信号が与えられたか否かを判断する（ステップＳ１２１）。そして、第２制御部１５０は、いずれの信号も与えられていないと判断した場合、ステップＳ９０へ戻る。
【００９６】
一方、第２制御部１５０は、ステップＳ１２０で第１充電指令信号が与えられたと判断した場合、フラグ設定部１５１を参照してそこにフラグが設定されているか否かを判断し（ステップＳ１２２）、フラグが設定されていると判断した場合、図８に示した第１スイッチ手段１７１を閉にしてバッテリＢへの充電を実行する（ステップＳ１２３）。第２制御部１５０は、検出回路１６０から検出値が満充電に対応して定めた所定値に達しているか否かを判断し（ステップＳ１２４）、所定値に達していない場合、電気かみそり用洗浄装置Ｗから充電停止指令信号が与えらたか否かを判断する（ステップＳ１２５）。第２制御部１５０は、検出値が所定値に達していると判断するか、又は充電停止指令信号が与えらたと判断するまでステップＳ１２４及びステップＳ１２５を繰り返した後、第１スイッチ手段１７１を開にしてバッテリＢへの充電を停止し（ステップＳ１２６）、フラグ設定部１５１に設定したフラグを解除する（ステップＳ１２７）。
【００９７】
（本発明の第２の実施形態）
図１８は、本発明の第２の実施形態に係る電気かみそり用洗浄装置Ｗの駆動制御系の要部構成を示すブロック図であり、電気かみそりＳのヘッド部１００の状態以外も検出し得るようになしてある。また、図１９は、図１８に示した電気かみそり用洗浄装置Ｗの要部構成の一例を示す側断面図である。なお、両図中、図７及び図５に示した部分に対応する部分には同じ番号を付してその説明を省略する。
【００９８】
図１８に示したように、電気かみそり用洗浄装置Ｗには、前述した第１スイッチ３１とは別に、ソケット２３と電気かみそりＳのプラグピン１２１，１２１，１２１とが正常に接続されていることを検出すべく、図１から図５に示したアーム部２の頂部２１が所定の高さ位置まで降下した場合にオンされる第２スイッチ２２、タンク６０が正常位置に装着された場合にオンされる第３スイッチ６３が配設してある。
【００９９】
前述した第２スイッチ２２は、例えば、図１９に示したように、頂部２１の内部であって、アーム部２の略中心軸上に配置され、２枚の板状の接点の接触・離隔可能に構成したものを用いることができる。かかる第２スイッチ２２にあっては、頂部２１が所定位置まで退縮されたときにアーム部２の略中心軸上に固定した軸部材２５の先端によって両接点が閉して第１制御部５に信号を与え、頂部２１が所定位置まで退縮されていないときは両接点は開しており、第１制御部５に信号を与えないようになっている。
【０１００】
また、電気かみそり用洗浄装置Ｗには、前述した汲み上げ用モータ７２に通流する電流の値を検出する検出回路７５が設けてあり、該検出回路７５の検出値は比較回路７６に与えられるようになっている。比較回路７６には予め閾値が設定してあり、比較回路７６は検出回路７５から与えられた検出値と閾値とを比較して、検出値が閾値以下であった場合、信号を第１制御部５に与えるようになっている。
【０１０１】
タンク６０内の水位が下がると、汲み上げ用モータ７２の負荷が減少するため、汲み上げ用モータ７２を通流する電流の値が低下する。タンク６０内の水位が所定値より下がった場合、洗浄運転を停止させる必要があるため、検出回路７５によって汲み上げ用モータ７２に通流する電流の値を検出し、検出値が閾値以下であった場合、第１制御部５へ信号を与えるのである。
【０１０２】
なお、前述した第２スイッチ２２等によって第２検出手段が構成されており、前記第３スイッチ６３及び／又は検出回路７５等によって第３検出手段が構成されている。
【０１０３】
なお、本実施の形態では、第３検出手段として前記第３スイッチ６３及び検出回路７５を設けて場合について示してあるが、本発明はこれに限らず、第３検出手段として第３スイッチ６３又は検出回路７５を設けてもよい。
【０１０４】
第１制御部５には、前述した第１スイッチ３１、第２スイッチ２２及び第３スイッチ６３から信号が与えられるようになっている。  また、第１制御部５には、選択ボタン４１及び／又は充電ボタン４２から信号が与えられるようになっており、第１制御部５は、選択ボタン４１及び／又は充電ボタン４２から与えられた信号に基づいて、洗浄モード、乾燥モード及び／又は充電モードを行い得るようになっている。
【０１０５】
第１制御部５は、選択ボタン４１及び／又は充電ボタン４２から信号が与えられた場合、前述した第１スイッチ３１、第２スイッチ２２及び第３スイッチ６３から信号が与えられているか否かを判断する。そして、第１制御部５は、第１スイッチ３１及び／又は第２スイッチ２２から信号が与えられていない、即ち電気かみそりＳの外刃ホルダ１０３が検出されず、及び／又はソケット２３と電気かみそりＳのプラグピン１２１，１２１，１２１とが正常に接続されていない場合、選択ボタン４１及び充電ボタン４２から与えられた信号を受け付けないで、洗浄モード、乾燥モード及び充電モードのいずれも実施しない。
【０１０６】
一方、第１制御部５は、第１スイッチ３１及びは第２スイッチ２２からは信号が与えられている、即ち電気かみそりＳの外刃ホルダ１０３が検出され、及びソケット２３と電気かみそりＳのプラグピン１２１，１２１，１２１とが正常に接続されているが、第３スイッチ６３から信号が与えられていない場合、洗浄モードは実施しないが、乾燥モード及び／又は充電モードは実施する。
【０１０７】
また、第１制御部５は、第１スイッチ３１及びは第２スイッチ２２からは信号が与えられているが、比較回路７６からも信号が与えられた場合、洗浄モード中であれば汲み上げ用モータ７２を停止させて洗浄モードを終了するが、乾燥モード及び／又は充電モードは実施する。
【０１０８】
そして、第１制御部５は、以上のような制御動作を実施すると共に、第１スイッチ３１、第２スイッチ２２、又は第３スイッチ６３から信号が与えられていない場合、又は比較回路７６から信号が与えられた場合、チェックランプ４６を点滅させて異常を報知させる。
これによって外刃ホルダ１０３の未洗浄が回避されるのに加え、空充電及び空洗浄を防止することができる。
【図面の簡単な説明】
【０１０９】
【図１】本発明に係る電気かみそり用洗浄装置を示す外観斜視図である。
【図２】図１に示した電気かみそり用洗浄装置の受け部に電気かみそりのヘッド部を装入させた状態を示す外観斜視図である。
【図３】図１に示した電気かみそり用洗浄装置のＩＩＩ−ＩＩＩ線による断面図である。
【図４】図２に示した電気かみそり用洗浄装置及び電気かみそりのＩＶ−ＩＶ線による断面図である。
【図５】図２に示した電気かみそり用洗浄装置及び電気かみそりのＶ−Ｖ線による断面図である。
【図６】図２に示した電気かみそり用洗浄装置及び電気かみそりのＶＩ−ＶＩ線による断面図である。
【図７】図１に示した電気かみそり用洗浄装置の駆動制御系の要部構成を示すブロック図である。
【図８】電気かみそりの駆動制御系の要部構成を示すブロック図である。
【図９】図７に示した電気かみそり用洗浄装置の第１制御部による制御手順を示すフローチャートである。
【図１０】図７に示した電気かみそり用洗浄装置の第１制御部による制御手順を示すフローチャートである。
【図１１】図７に示した電気かみそり用洗浄装置の第１制御部による制御手順を示すフローチャートである。
【図１２】図７に示した電気かみそり用洗浄装置の第１制御部による制御手順を示すフローチャートである。
【図１３】図７に示した電気かみそり用洗浄装置の第１制御部による制御手順を示すフローチャートである。
【図１４】図８に示した電気かみそりの第２制御部による制御手順を示すフローチャートである。
【図１５】図１４に示したバッテリ電圧検出制御の手順を示すフローチャートである。
【図１６】洗浄モード制御を説明するタイミングチャートである。
【図１７】乾燥モード制御を説明するタイミングチャートである。
【図１８】本発明の第２の実施形態に係る電気かみそり用洗浄装置の駆動制御系の要部構成を示すブロック図である。
【図１９】図１８に示した電気かみそり用洗浄装置の要部構成の一例を示す側断面図である。
【符号の説明】
【０１１０】
１    本体
２    アーム部
３    受け部
５    第１制御部
６    アンド回路
２１    頂部
２２    第２スイッチ
２３    ソケット
３０    外刃ホルダ検出部
３１    第１スイッチ
３２    検出用バー
３５    当接支持部
４１    選択ボタン
４２    充電ボタン
４５    充電ランプ
５０    送風機
６０    タンク
６１    フィルタ
６３    第３スイッチ
７２    汲み上げ用モータ
８５    スイッチ手段
１００    ヘッド部
１０１    外刃
１０２    内刃
１０３    外刃ホルダ
１２０    トリマ部
１３０    段差部
Ｗ    電気かみそり用洗浄装置
Ｓ    電気かみそり
【図１】
2008284278.tif 000003
【図２】
2008284278.tif 000004
【図３】
2008284278.tif 000005
【図４】
2008284278.tif 000006
【図５】
2008284278.tif 000007
【図６】
2008284278.tif 000008
【図７】
2008284278.tif 000009
【図８】
2008284278.tif 000010
【図９】
2008284278.tif 000011
【図１０】
2008284278.tif 000012
【図１１】
2008284278.tif 000013
【図１２】
2008284278.tif 000014
【図１３】
2008284278.tif 000015
【図１４】
2008284278.tif 000016
【図１５】
2008284278.tif 000017
【図１６】
2008284278.tif 000018
【図１７】
2008284278.tif 000019
【図１８】
2008284278.tif 000020
【図１９】
2008284278.tif 000021